(57)【要約】      （修正有）【課題】雨上がり収納するときなど簡単にでき、又、収納時、雨しずくがケースから漏れない構造になっていて、超小型で、ケースや傘の布地等も美観に考慮し、大変便利で、又、日傘としても応用できる折りたたみ傘を提供する。【解決手段】傘の骨組を数段階のスライド式にして、骨組の内部にスプリングを入れ、ボタン６を押すと傘の骨組が一気に飛び出す仕組みで、更に雨等に対応する布地が骨組と同時に伸びる構造になっている。傘を閉じる時、傘の骨組内部の先端に紐又は細いワイヤー３で固定し、手元まで伸ばした紐又はワイヤーを小型モーター７で引き寄せる仕組みで、モーターが稼動しなくても自動で紐、ワイヤーを引き寄せ傘を閉じる仕組みに成っている。傘全体をキャップ付ケースと一体化し、収納する出し入れ口は完全密封式で雨しずくが外に漏れない仕組みである。【選択図】図２
0003211147.tif 000002
【実用新案登録請求の範囲】
【請求項１】
傘の骨組を数段階のスライド式にして、骨組の内部にスプリングを入れ、ボタンを押すと傘の骨組が一気に飛び出す仕組みで、更に雨等に対応する布地が骨組と同時に伸びる構造になっている超小型の折りたたみ傘。
【請求項２】
傘を閉じる時、傘の骨組内部の先端に紐又は細いワイヤーで固定し、手元まで伸ばした紐又はワイヤーを小型モーターで引き寄せる仕組みで、モーターが稼動しなくても自動で紐、ワイヤーを引き寄せ傘を閉じる仕組みになっている。
【請求項３】
傘全体をキャップ付ケースと一体化し、収納する出し入れ口は完全密封式で雨しずくが外に漏れない仕組みである。
【請求項４】
ケースの下部及びキャップの上部には雨水を吸収する装置を設けているのでポケットやバックに収容する事が可能である。
【考案の詳細な説明】
【技術分野】
【０００１】  従来の折りたたみ傘より更に小型化し密封された、キャップ付ケースの中に傘を収納できる仕組みになっていて、骨組、布地、主軸と、ケースの中に納まり、更にケースには雨水が外部に漏れない構造になっていて、ポケットにも入る通称、ポケッタブル傘である。
【背景技術】
【０００２】従来市販されている傘は安い価格で、どこででも手に入るが、強風等に弱く、雨上がりに傘を閉じる時、雨しずくがたれ、布地がかさばり非常に不便である更に骨組が複雑ですぐに壊れやすい、折りたたんでも雨水処理に大変困っているのが実情である。
【考案が解決しようとする課題】
【０００３】本考案は従来の折りたたみ傘の複雑な骨組や布地のかさばりを解消し簡素化した。
傘の骨組や布張り等を簡単な仕組みで小型化し雨しずくが、外部に漏れない構造になっているのでポケットの中にも入れるようにした。
【課題を解決する為の手段】
【０００４】従来の傘のコウモリのような複雑な骨組ではなく骨組が数段階でスライド式で、ケースから一気に出てくる仕組みで、小型化が可能になり、咄嗟の雨に対応できる、雨がやみ、傘を収納する時、スライド式のフレーム等をモーターや自動でケースの中に入れる事が出来、更にケースから雨しずくが漏れない仕組みになっている、この事によりポケットやバッグに即時に収納する事が出来る。
【考案の効果】
【０００５】本考案の傘の特徴は小型で軽量であり簡単に傘の役目を果たすように工夫している、その事により急な雨等に対応でき、ポケットやバック等から取り出す事が出来、雨をしのぐ事が容易に出来、簡単に収納する事ができ大変便利なポケッタブル傘である、又、ＵＶカットをほどこした日傘にも利用できる。
【図面の簡単な説明】
【０００６】
【図１】  本考案に係る実施例を示す、ポケッタブル傘姿図
【図２】  図１に図示の断面図（拡大）
【図３】  図１に図示の正面図（収納時）
【考案を実施する為の形態】
【０００７】本考案にかかる具体的実施例で図１〜図３です。
【実施例】
【０００８】本考案は傘の目的である雨をしのぐための物である、手に持つ主軸と雨をしのぐ布張りで構成されている。
図１は正面図（姿図）をあらわしている、骨組等の構成は図２の拡大断面図で以下説明をする。
図２の１は手に持つための傘の主軸部の骨組でフレームと言いフレームがスライドする事により伸び縮みをする、そのフレームの内部には２１のスプリング主軸部が取り付けてあり、それによって伸び縮みする仕組みで、２はスライド式傘部のフレームで、主軸と同様４のスプリング傘部によって伸び縮みをする、３の紐、ワイヤーによって伸びたスプリング等を引き寄せる役目をする。
５布地は傘の雨しのぎの役目をする布地であるが特徴として布地が収縮し２のフレームと一体化をしていて２４の布止め金具と１７布止めネジによりフレームと布がスライドする、その事により開いたり閉じたりして傘の役目をする。
６スイッチボタンは、２３主軸フレーム止め金具を開放するためのものと３の紐、ワイヤーを引き寄せるためのもので、主軸が伸びたり縮んだりする。
７のモーターはスプリングとフレームが接続されている紐、ワイヤーを引き寄せる役目をし、８のギアーと９の巻取りプーリーで成り立っている。
１０主軸支フレームとあるのは１フレーム主軸と２スライド式傘部フレームとを支える役目をする、この事により主軸と傘フレームは固定され強風等に対応できる１４の支え金具で接続する１１の主軸支えフレーム金具も同様である。
１２の傘部フレーム支え金具は１フレーム主軸と２スライド式傘部フレームを接続する重要な部分である。
１３の傘部フレームスライドワイヤーは傘が折りたためられる時１０の主軸支えフレームに取り付けてあり折り曲げると同時にワイヤーが引っ張られる仕組みで２のスプリングを縮める事ができるので自動でも可能である。
１５のキャップネジとは１６のキャップ上部を取り外しできる装置で１８の吸水パットの出し入れができるようになっている。
１９は７のモーターに必要な電池である。
２２のケースは傘全体の全てを収納できるケースで骨組をケースに入れる際に２６のフレーム止めと２３主軸フレーム止め金具が接続して止まりケースに収まる仕組みである。
図３に示す１６キャップ上部と２２ケースが骨組全体を収容した姿でこの事により全てがケースに納まり密閉されるので雨しずくもなく小型で軽量なポケット又はバックに入るポケッタブル傘の考案である。
【産業上の利用可能性】
【０００９】傘は世界中の人々が利用している、又、色々な傘も考案されているが、折りたたみ式で、雨上がりにポケットに即時収容される傘は見当たらなかった、本考案の傘が出現する事で、雨への対応がしやすくなり、傘の出し入れが簡単でポケットやバックに入れておく事により雨対策が、より可能になった。
又、ＵＶカットの日傘としても利用できる。
【符号の説明】
【００１０】１．  フレーム主軸
２．  スライド式傘部フレーム
３．  紐、ワイヤー
４．  スプリング傘部
５．  布地
６．  スイッチボタン
７．  モーター
８．  ギアー
９．  巻取りプーリ
１０．  主軸、支フレーム
１１．  主軸、支フレーム金具
１２．  傘部フレーム支え金具
１３．  傘部フレームスライドワイヤー
１４．  支え金具
１５．  キャップネジ
１６．  キャップ上部
１７．  布止めネジ
１８．  吸水パット
１９．  電池
２０．  雨水水路
２１．  スプリング主軸部
２２．  ケース
２３．  主軸フレーム止め金具
２４．  布止め金具
２５．  下部キャップ
２６．  フレーム止め
【図１】
0003211147.tif 000003
【図２】
0003211147.tif 000004
【図３】
0003211147.tif 000005
【手続補正書】
【提出日】平成29年4月12日(2017.4.12)
【手続補正１】
【補正対象書類名】実用新案登録請求の範囲
【補正対象項目名】全文
【補正方法】変更
【補正の内容】
【実用新案登録請求の範囲】
【請求項１】
傘の骨組を数段階のスライド式にして、骨組の内部にスプリングを入れ、ボタンを押すと傘の骨組が一気に飛び出す仕組みで、更に雨等に対応する布地が骨組と同時に伸びる構造になっている超小型の折りたたみ傘。
【請求項２】
傘を閉じる時、傘の骨組内部の先端に紐又は細いワイヤーで固定し、手元まで伸ばした紐又はワイヤーを小型モーターで引き寄せる仕組みで、モーターが稼動しなくても自動で紐、ワイヤーを引き寄せ傘を閉じる仕組みに成っている事を特徴とする請求項１に記載の折りたたみ傘。
【請求項３】
傘全体をキャップ付ケースと一体化し、収納する出し入れ口は完全密封式で雨しずくが外に漏れない仕組みである事を特徴とする請求項１又は２に記載の折りたたみ傘。
【請求項４】
ケースの下部及びキャップの上部には雨水を吸収する装置を設けているのでポケットやバックに収容する事が可能である事を特徴とする請求項１〜３のいずれかに記載の折りたたみ傘。